(57)【要約】【課題】光学性能の維持及び小型軽量化を実現できる撮像レンズを提供すること。【解決手段】  物体側から像面側に向かって順に、物体側に凸面を向けた正のパワーを有するメニスカスレンズとされた第１レンズ２と、絞り３と、像面側に凸面を向けた正のパワーを有するメニスカスレンズとされた第２レンズ４と、負のパワーを有する両凹レンズとされた第３レンズ５とを配設し、かつ、０．１１＜ｄ４／ｆｌ≦０．２５（但し、ｄ４：光軸上における第２レンズと第３レンズとの間隔、ｆｌ：レンズ系全体の焦点距離）を満足するものである。【選択図】図１
2008102237.tif 000002
【特許請求の範囲】
【請求項１】
撮像素子の撮像面に物体の像を結像させるために使用される撮像レンズであって、
物体側から像面側に向かって順に、物体側に凸面を向けた正のパワーを有するメニスカスレンズとされた第１レンズと、絞りと、像面側に凸面を向けた正のパワーを有するメニスカスレンズとされた第２レンズと、負のパワーを有する両凹レンズとされた第３レンズとを配設し、かつ、次の（１）に示す条件式、
０．１１＜ｄ４／ｆｌ≦０．２５     （１）
但し、
ｄ４：光軸上における第２レンズと第３レンズとの間隔
ｆｌ：レンズ系全体の焦点距離
を満足することを特徴とする撮像レンズ。
【請求項２】
更に、次の（２）に示す条件式、
１≦Ｌ／ｆｌ≦１．３              （２）
但し、
Ｌ：レンズ系の全長（第１レンズの物体側の面から撮像面までの距離（空気換算長））
を満足することを特徴とする請求項１に記載の撮像レンズ。
【請求項３】
更に、次の（３）に示す条件式、
０．６≦ｆ１／ｆｌ≦０．９         （３）
但し、
ｆ１：第１レンズの焦点距離
を満足することを特徴とする請求項１または２に記載の撮像レンズ。
【請求項４】
更に、次の（４）に示す条件式、
０＜ｆ１／ｆ２≦０．８              （４）
但し、
ｆ１：第１レンズの焦点距離
ｆ２：第２レンズの焦点距離
を満足することを特徴とする請求項１〜３のいずれか１項に記載の撮像レンズ。
【請求項５】
更に、次の（５）に示す条件式、
−１≦ｆ１／ｆ３≦−０．１          （５）
但し、
ｆ１：第１レンズの焦点距離
ｆ３：第３レンズの焦点距離
を満足することを特徴とする請求項１〜４のいずれか１項に記載の撮像レンズ。
【請求項６】
更に、次の（６）に示す条件式、
０．１２≦ｄ２／ｆｌ≦０．２       （６）
但し、
ｄ２：光軸上における第１レンズと第２レンズとの間隔
を満足することを特徴とする請求項１〜５のいずれか１項に記載の撮像レンズ。
【請求項７】
更に、次の（７）に示す条件式、
０．０１≦ｄ３／ｆｌ≦０．２       （７）
但し、
ｄ３：第２レンズの中心厚
を満足することを特徴とする請求項１〜６のいずれか１項に記載の撮像レンズ。
【発明の詳細な説明】
【技術分野】
【０００１】
本発明は、撮像レンズに係り、特に、携帯型のコンピュータ、テレビ電話、携帯電話、デジタルカメラ等に搭載されるＣＣＤ、ＣＭＯＳ等の撮像素子を利用した撮像装置に用いられ、小型軽量化を図るのに好適な３枚レンズ構成の撮像レンズに関する。
【背景技術】
【０００２】
近年、携帯型のコンピュータ、テレビ電話、携帯電話、デジタルカメラ等に搭載されるＣＣＤ、ＣＭＯＳ等の撮像素子を利用したカメラの需要が著しく高まっている。このようなカメラは、限られた設置スペースに搭載する必要があることから、小型であり、かつ、軽量であることが望まれている。
【０００３】
そのため、このようなカメラに用いられる撮像レンズにも、カメラと同様に小型軽量であることが要求されており、このような撮像レンズとしては、従来から、１枚のレンズを用いた１枚構成のレンズ系や２枚のレンズを用いた２枚構成のレンズ系が採用されている。
【０００４】
しかしながら、これらのものは、レンズ系の小型軽量化には極めて有利であるものの、近年の撮像レンズに要求される高画質、高解像度化には十分に対応できないという問題がある。
【０００５】
そのため、従来から、３枚のレンズを用いた３枚構成のレンズ系を採用し、これにより、高画質、高解像度化に対応することが行われている。
【０００６】
このような高画質、高解像度化をねらった３枚構成のレンズ系としては、例えば、次の特許文献１〜４に示すレンズ系が知られている。
【０００７】
【特許文献１】特開２００５−１７３２９８号公報
【特許文献２】特開２００５−９１５１３号公報
【特許文献３】特開２００３−３２２７９２号公報
【特許文献４】特開２００４−１６３７８６号公報
【発明の開示】
【発明が解決しようとする課題】
【０００８】
しかしながら、特許文献１に記載のレンズ系は、第３レンズが物体側に凸面を向けた負レンズであるため、収差の補正とレンズ系の小型化とのバランスをとることが困難となる。また、特許文献１に記載のレンズ系における第１〜第３レンズのパワー配分ならびに第１レンズの両面の中心曲率半径の比では、バックフォーカス距離が長くなり過ぎ、この結果、レンズ系の全長が長くなり過ぎてしまう。
【０００９】
また、特許文献２に記載のレンズ系における第１〜第３レンズのパワー配分では、特許文献１に記載のレンズ系と同様に、バックフォーカス距離が長くなり過ぎる結果、レンズ系の全長が長くなり過ぎてしまう。
【００１０】
さらに、特許文献３に記載のレンズ系は、第３レンズが物体側に凸面を向けた負レンズであるため、特許文献１に記載のレンズ系と同様に、収差の補正とレンズ系の小型化とのバランスをとることが困難となる。また、特許文献３に記載のレンズ系における第１〜第３レンズのパワー配分では、レンズ系の全長が長くなり過ぎてしまう。さらに、特許文献３に記載のレンズ系は、バックフォーカス距離が短く、かつ、第３レンズがメニスカス形状であるため、最終面の形状が光学面端部において撮像面側に大きく張り出す形状となり、各種フィルタ等を挿入するのに支障を来たすことになる。
【００１１】
さらにまた、特許文献４に記載のレンズ系における第１レンズ、第２レンズおよび第３レンズのパワー配分では、レンズ系の全長が長くなり過ぎてしまう。
【００１２】
したがって、従来のレンズ系においては、高画質・高解像度という良好な光学性能を維持しつつレンズ系自体の更なる小型軽量化（全長の短縮化等）を実現するには、未だに不十分であるといった問題点を有している。
【００１３】
本発明は、このような問題点に鑑みなされたもので、良好な光学性能を維持しつつ小型軽量化を実現することができる撮像レンズを提供することを目的とするものである。
【課題を解決するための手段】
【００１４】
前述した目的を達成するため、本発明の請求項１に係る撮像レンズの特徴は、撮像素子の撮像面に物体の像を結像させるために使用される撮像レンズであって、物体側から像面側に向かって順に、物体側に凸面を向けた正のパワーを有するメニスカスレンズとされた第１レンズと、絞りと、像面側に凸面を向けた正のパワーを有するメニスカスレンズとされた第２レンズと、負のパワーを有する両凹レンズとされた第３レンズとを配設し、かつ、次の（１）に示す条件式、
０．１１＜ｄ４／ｆｌ≦０．２５     （１）
但し、
ｄ４：光軸上における第２レンズと第３レンズとの間隔
ｆｌ：レンズ系全体の焦点距離
を満足する点にある。
【００１５】
そして、この請求項１に係る発明によれば、第１レンズを物体側に凸面を向けた正のパワーを有するメニスカスレンズとし、第２レンズを像面側の凸面を向けた正のパワーを有するメニスカスレンズとし、第３レンズを負のパワーを有する両凹レンズとし、第１レンズと第２レンズとの間に絞りを配置し、かつ、（１）の条件式を満足するようにすることにより、小型軽量化、テレセントリック性の確保、良好な光学性能の維持および製造性の維持が可能となる。また、第２レンズの形状により、周辺部の光線を有効に利用することが可能となる。
【００１６】
なお、本明細書において、製造性とは、撮像レンズを大量生産する場合の製造性（例えば、射出成形を用いて撮像レンズを大量生産する場合の成形性、組立容易性およびコスト等）である意の他、撮像レンズを製造するために使用される設備の加工、製作等の容易性（例えば、射出成形に用いる金型の加工の容易性等）である意も含む。
【００１７】
また、請求項２に係る撮像レンズの特徴は、請求項１において、更に、次の（２）に示す条件式、
１≦Ｌ／ｆｌ≦１．３              （２）
但し、
Ｌ：レンズ系の全長（第１レンズの物体側の面から撮像面までの距離（空気換算長））
を満足する点にある。
【００１８】
そして、この請求項２に係る発明によれば、更に、（２）の条件式を満足するようにすることにより、良好な光学性能および製造性を維持しつつ撮像レンズを小型軽量化することが可能となる。
【００１９】
さらに、請求項３に係る撮像レンズの特徴は、請求項１または２において、  更に、次の（３）に示す条件式、
０．６≦ｆ１／ｆｌ≦０．９         （３）
但し、
ｆ１：第１レンズの焦点距離
を満足する点にある。
【００２０】
そして、この請求項３に係る発明によれば、更に、（３）の条件式を満足するようにすることにより、必要なバックフォーカス距離を確保しつつも、撮像レンズをさらに有効に小型軽量化することが可能となり、かつ、製造性をさらに向上させることが可能となる。
【００２１】
さらにまた、請求項４に係る撮像レンズの特徴は、請求項１〜３のいずれか１項において、更に、次の（４）に示す条件式、
０＜ｆ１／ｆ２≦０．８              （４）
但し、
ｆ１：第１レンズの焦点距離
ｆ２：第２レンズの焦点距離
を満足する点にある。
【００２２】
そして、この請求項４に係る発明によれば、更に、（４）の条件式を満足するようにすることにより、良好な光学性能をさらに確実に維持しつつ、撮像レンズをさらに小型軽量化することが可能となる。
【００２３】
また、請求項５に係る撮像レンズの特徴は、請求項１〜４のいずれか１項において、更に、次の（５）に示す条件式、
−１≦ｆ１／ｆ３≦−０．１          （５）
但し、
ｆ１：第１レンズの焦点距離
ｆ３：第３レンズの焦点距離
を満足する点にある。
【００２４】
そして、この請求項５に係る発明によれば、更に、（５）の条件式を満足するようにすることにより、良好な光学性能をさらに確実に維持しつつ、さらなる小型軽量化が可能となる。
【００２５】
さらに、請求項６に係る撮像レンズの特徴は、請求項１〜５のいずれか１項において、更に、次の（６）に示す条件式、
０．１２≦ｄ２／ｆｌ≦０．２       （６）
但し、
ｄ２：光軸上における第１レンズと第２レンズとの間隔
を満足する点にある。
【００２６】
そして、この請求項６に係る発明によれば、更に、（６）の条件式を満足するようにすることにより、必要なバックフォーカスをさらに有効に確保しつつ、撮像レンズ１をさらに有効に小型軽量化することが可能となり、かつ、製造性をさらに向上させることが可能となる。
【００２７】
さらにまた、請求項７に係る撮像レンズの特徴は、請求項１〜６のいずれか１項において、更に、次の（７）に示す条件式、
０．０１≦ｄ３／ｆｌ≦０．２       （７）
但し、
ｄ３：第２レンズの中心厚
を満足する点にある。
【００２８】
そして、この請求項７に係る発明によれば、更に、（７）の条件式を満足するようにすることにより、撮像レンズをさらに有効に小型軽量化することが可能となり、かつ、製造性をさらに向上させることが可能となる。
【発明の効果】
【００２９】
本発明に係る撮像レンズによれば、良好な光学性能を維持しつつ小型軽量化を実現することができる。
【００３０】
特に、小型かつ短光学長で高性能の撮像レンズを実現することができる。
【発明を実施するための最良の形態】
【００３１】
以下、本発明に係る撮像レンズの実施形態について、図１を参照して説明する。
【００３２】
図１に示すように、本実施形態における撮像レンズ１は、物体側から像面側に向かって順に、物体側に凸面を向けた正のパワーを有するメニスカスレンズとされた樹脂製の第１レンズ２と、絞り３と、像面側に凸面を向けた正のパワーを有するメニスカスレンズとされた樹脂製の第２レンズ４と、負のパワーを有する両凹レンズとされた樹脂製の第３レンズ５とを有している。各レンズ２、４、５は、シクロオレフィンコポリマー、シクロオレフィンポリマー、ポリカーボネート等の樹脂材料で射出成形法により各々成形することができる。
【００３３】
以下において、第１レンズ２、第２レンズ４および第３レンズ５における物体側の各レンズ面２ａ、４ａ、５ａを、それぞれ各レンズ２、４、５の第１面２ａ、４ａ、５ａと称し、像面側のレンズ面２ｂ、４ｂ、５ｂを、それぞれ各レンズ２、４、５の第２面２ｂ、４ｂ、５ｂと称することとする。
【００３４】
第３レンズ５の第２面５ｂの側には、カバーガラス、ＩＲカットフィルタ、ローパスフィルタ等の各種フィルタ６およびＣＣＤあるいはＣＭＯＳ等の撮像素子の受光面である撮像面７がそれぞれ配設されている。なお、各種フィルタ６は、必要に応じて省略することも可能である。
【００３５】
さらに、本実施形態においては、次の（１）に示す条件式を満足するようにする。
【００３６】
０．１１＜ｄ４／ｆｌ≦０．２５     （１）
但し、（１）式におけるｄ４は、光軸８上における第２レンズ４と第３レンズ５との間隔である（以下、同様）。また、（１）式におけるｆｌは、レンズ系全体の焦点距離である（以下、同様）。
【００３７】
ここで、各レンズ２、４、５の形状が、本実施形態における冒頭に述べた形状を外れる場合には、光学系全長を短く抑えながらテレセントリック性を確保し、光学性能を維持することが困難となる。
【００３８】
また、ｄ４／ｆｌの値が（１）式の値（０．２５）よりも大きくなると、第３レンズ５の第２面５ｂを通過する光線高さが高くなり過ぎるため、第３レンズ５が大型化して製造が困難となり、また、必要なバックフォーカス距離を確保することが困難となる。
【００３９】
一方、ｄ４／ｆｌの値が（１）式の値（０．１１）以下になると、バックフォーカス距離が長くなり過ぎるため、光学系全体としての小型化が困難となり、また、光量を効果的に制限する絞りの挿入が困難となる。
【００４０】
従って、本実施形態によれば、第１レンズ２を、物体側に凸面を向けた正のパワーを有するメニスカスレンズとし、第２レンズ４を、像面側に凸面を向けた正のパワーを有するメニスカスレンズとし、第３レンズ５を、負のパワーを有する両凹レンズとし、第１レンズ２と第２レンズ４との間に絞り３を配置し、ｄ４／ｆｌの値を（１）の条件式を満足するようにすることによって、小型軽量化、テレセントリック性の確保、良好な光学性能の維持および製造性の維持が可能となる。また、第２レンズ４の形状により、周辺部の光線を有効に利用することが可能となる。
【００４１】
なお、このｄ４とｆｌとの関係は、０．１１＜ｄ４／ｆｌ≦０．２とされることが、より好ましい。
【００４２】
上記構成に加えて、さらに、本実施形態においては、次の（２）に示す条件式を満足するようにする。
【００４３】
１≦Ｌ／ｆｌ≦１．３              （２）
但し、（２）式におけるＬは、レンズ系の全長すなわち第１レンズ２の第１面２ａから撮像面７までの距離（空気換算長）である（以下、同様）。
【００４４】
ここで、Ｌ／ｆｌの値が、（２）式の値（１．３）よりも大きくなると、光学系全体が大きくなり過ぎる。
【００４５】
一方、Ｌ／ｆｌの値が、（２）式の値（１）よりも小さくなると、光学系全体が小さくなり過ぎるため、製造性が低下し、光学性能の維持が困難となる。
【００４６】
従って、本実施形態によれば、Ｌ／ｆｌの値を（２）の条件式を満足するようにすることによって、良好な光学性能および製造性をさらに確実に維持しつつ撮像レンズをさらに小型軽量化することが可能となる。
【００４７】
なお、このＬとｆｌとの関係は、１．１５≦Ｌ／ｆｌ≦１．３とされることが、より好ましい。
【００４８】
上記構成に加えて、さらに、本実施形態においては、次の（３）に示す条件式を満足するようにする。
【００４９】
０．６≦ｆ１／ｆｌ≦０．９         （３）
但し、（３）式におけるｆ１は、第１レンズ２の焦点距離である（以下、同様）。
【００５０】
ここで、ｆ１／ｆｌの値が（３）式の値（０．９）よりも大きくなると、バックフォーカス距離が長くなり過ぎるため、光学系を小型化することが困難となる。
【００５１】
一方、ｆ１／ｆｌの値が（３）式の値（０．６）よりも小さくなると、第１レンズ２のパワーが強くなり過ぎるため、製造性が低下する。また、必要なバックフォーカス距離を確保することが困難となる。
【００５２】
従って、本実施形態によれば、ｆ１／ｆｌの値を（３）の条件式を満足するようにすることによって、必要なバックフォーカス距離を確保しつつも、撮像レンズ１をさらに有効に小型軽量化することが可能となり、かつ、製造性をさらに向上させることが可能となる。
【００５３】
なお、このｆ１とｆｌとの関係は、０．６５≦ｆ１／ｆｌ≦０．８５とされることが、より好ましい。
【００５４】
上記構成に加えて、さらに、本実施形態においては、次の（４）に示す条件式を満足するようにする。
【００５５】
０＜ｆ１／ｆ２≦０．８              （４）
但し、（４）式におけるｆ２は、第２レンズ４の焦点距離である（以下、同様）。
【００５６】
ここで、ｆ１／ｆ２の値が（４）式の値（０．８）よりも大きくなると、相対的に第１レンズ２のパワーが弱くなり過ぎるため、光学系の小型化が困難となる。また、第１レンズ２と第２レンズ４とのパワーのバランスが悪化し、光学性能が低下する。
【００５７】
一方、ｆ１／ｆ２の値が（４）式の値（０）近傍であると、相対的に第１レンズ２のパワーが強くなり過ぎるため、製造性が低下する。また、第１レンズ２または第２レンズ４のいずれかが負のパワーを有することとなり、所望の光学性能が得られない。さらに、第１レンズ２と第２レンズ４とのパワーのバランスが悪化し、光学性能が低下する。
【００５８】
従って、本実施形態によれば、ｆ１／ｆ２の値を（４）の条件式を満足するようにすることによって、良好な光学性能をさらに確実に維持しつつ、撮像レンズ１をさらに小型軽量化することが可能となる。
【００５９】
なお、このｆ１とｆ２との関係は、０．１２＜ｆ１／ｆ２≦０．５５とされることが、より好ましい。
【００６０】
上記構成に加えて、さらに、本実施形態においては、次の（５）に示す条件式を満足するようにする。
【００６１】
−１≦ｆ１／ｆ３≦−０．１          （５）
但し、（５）式におけるｆ３は、第３レンズ５の焦点距離である（以下、同様）。
【００６２】
ここで、ｆ１／ｆ３の値が（５）式の値（−０．１）よりも大きくなると、第１レンズ２のパワーが強くなり過ぎるため、製造性が低下し、第１レンズ２と第３レンズ５とのパワーバランスが得られなくなり、光学性能を維持することができなくなる。
【００６３】
一方、ｆ１／ｆ３の値が（５）式の値（−１）よりも小さくなると、相対的に第３レンズ５のパワーが強くなり過ぎるため、光学系の小型化が困難となる。また、第１レンズ２と第３レンズ５とのパワーのバランスが悪化し、光学性能が悪くなる。
【００６４】
従って、本実施形態によれば、ｆ１／ｆ３の値を（５）の条件式を満足するようにすることによって、良好な光学性能をさらに確実に維持しつつ、さらなる小型軽量化が可能となる。
【００６５】
なお、このｆ１とｆ３との関係は、−０．８５≦ｆ１／ｆ３≦−０．２５とされることが、より好ましい。
【００６６】
上記構成に加えて、さらに、本実施形態においては、次の（６）に示す条件式を満足するようにする。
【００６７】
０．１２≦ｄ２／ｆｌ≦０．２       （６）
但し、（６）式におけるｄ２は、光軸８上における第１レンズ２と第２レンズ４との間隔である。
【００６８】
ここで、ｄ２／ｆｌの値が（６）式の値（０．２）よりも大きくなると、必要なバックフォーカス距離を確保することが困難となる。また、第３レンズ５の第２面５ｂを通過する光線高さが高くなり過ぎるため、第３レンズ５が大型化して製造が困難となる。
【００６９】
一方、  ｄ２／ｆｌの値が（６）式の値（０．１２）よりも小さくなると、バックフォーカス距離が長くなり過ぎるため、光学系全体の小型化が困難となる。また、光量を効果的に制限する絞りの挿入が困難となる。
【００７０】
従って、本実施形態によれば、ｄ２／ｆｌの値を（６）の条件式を満足するようにすることによって、必要なバックフォーカスをさらに有効に確保しつつ、撮像レンズ１をさらに有効に小型軽量化することが可能となり、かつ、製造性をさらに向上させることが可能となる。
【００７１】
なお、このｄ２とｆｌとの関係は、０．１４≦ｄ２／ｆｌ≦０．１８５とされることが、より好ましい。
【００７２】
上記構成に加えて、さらに、本実施形態においては、次の（７）に示す条件式を満足するようにする。
【００７３】
０．０１≦ｄ３／ｆｌ≦０．２       （７）
但し、（７）式におけるｄ３は、第２レンズ４の中心厚である（以下、同様）。
【００７４】
ここで、ｄ３／ｆｌの値が（７）式の値（０．２）よりも大きくなると、バックフォーカス距離が長くなり過ぎるため、光学系全体の小型化が困難となる。また、第３レンズ５の第２面５ｂを通過する光線高さが高くなり過ぎるため、第３レンズ５が大型化して製造が困難となる。
【００７５】
一方、ｄ３／ｆｌの値が（７）式の値（０．０１）よりも小さくなると、第２レンズ４の製造が困難となる。
【００７６】
従って、本実施形態によれば、ｄ３／ｆｌの値を（７）の条件式を満足するようにすることによって、撮像レンズ１をさらに有効に小型軽量化することが可能となり、かつ、製造性をさらに向上させることが可能となる。
【００７７】
なお、このｄ３とｆｌとの関係は、０．１≦ｄ３／ｆｌ≦０．１４５とされることが、より好ましい。
【実施例】
【００７８】
次に、本発明の実施例について、図２乃至図１３を参照して説明する。
【００７９】
ここで、本実施例において、ＦｎｏはＦナンバー、ωは半画角、ｒは中心曲率半径を示す。また、ｄは次の光学面までの距離を示す。また、ｎｄはｄ線に対する屈折率、νｄはアッベ数（ｄ線基準）を示す。
【００８０】
ｋ、Ａ、Ｂ、Ｃ、Ｄは、次の（８）式における各係数を示す。すなわち、レンズの非球面の形状は、光軸８方向にＺ軸、光軸８に直交する方向（高さ方向）にＸ軸をとり、光の進行方向を正とし、ｋを円錐係数、Ａ、Ｂ、Ｃ、Ｄを非球面係数、ｒを中心曲率半径としたとき次式で表される。
【００８１】
Ｚ（Ｘ）＝ｒ−１ Ｘ２ ／［１＋｛１−（ｋ＋１）r−２ Ｘ２  ｝１／２ ］
＋ＡＸ４  ＋ＢＸ６ ＋ＣＸ８ ＋ＤＸ１０             （８）
【００８２】
また、以下の実施例において、円錐係数および非球面係数を表す数値に用いられる記号Ｅは、その次に続く数値が１０を底としたべき指数であることを示し、その１０を底としたべき指数で表される数値が、Ｅの前の数値に乗算されることを示す。例えば、−８．０Ｅ−１は、−８．０×１０−１であることを示す。
【００８３】
＜第１実施例＞
図２は、本発明の第１実施例を示したものであり、この図２に示す第１実施例の撮像レンズ１は、図１に示したものと同一の撮像レンズ１である。
【００８４】
この第１実施例の撮像レンズ１は、以下の条件に設定されている。
【００８５】
（レンズデータ）
Ｆｎｏ＝３．２５、ω＝３４．５８°、Ｌ＝３．６１ｍｍ、ｆｌ＝３．２５ｍｍ、ｆ１＝２．７５ｍｍ、ｆ２＝８．０６１ｍｍ、ｆ３＝−５．４５６ｍｍ
面番号                           ｒ         ｄ       ｎd        νｄ
（物点）
１（第１レンズ第１面）         0.96        0.45     1.5310       56.0
２（第１レンズ第２面）         0.33        0.05
３（絞り）                     0.00        0.50
４（第２レンズ第１面）        -1.25        0.40     1.5310       56.0
５（第２レンズ第２面）        -1.26        0.50
６（第３レンズ第１面）        -0.12        0.55     1.5310       56.0
７（第３レンズ第２面）         0.21        0.50
８（カバーガラス第１面）       0.00        0.30     1.5168       64.2
９（カバーガラス第２面）       0.00
（像面）
面番号    ｋ          Ａ        Ｂ        Ｃ        Ｄ
１     -8.0E-1      1.0E-1    2.3E-1   -3.1E-1    6.0E-1
２      0           5.8E-2   -3.0E-3    1.0E-1    0
４      4.8E-1      1.3E-1    6.6E-1    1.8       0
５     -3.6E-1      2.9E-1   -2.0E-1    1.9      -1.2
６      0          -7.9E-3   -6.6E-3    9.8E-3   -1.9E-3
７     -8.7E+1     -7.5E-2    1.5E-2   -6.7E-3    1.1E-3
【００８６】
このような条件の下で、ｄ４／ｆｌ＝０．１５４となり、（１）の条件式を満足するものであった。また、Ｌ／ｆｌ＝１．１１となり、（２）の条件式を満足するものであった。さらに、ｆ１／ｆｌ＝０．８４６となり、（３）の条件式を満足するものであった。さらにまた、ｆ１／ｆ２＝０．３４１となり、（４）の条件式を満足するものであった。また、ｆ１／ｆ３＝−０．５０４となり、（５）の条件式を満足するものであった。さらに、ｄ２／ｆｌ＝０．１６９となり、（６）の条件式を満足するものであった。さらにまた、ｄ３／ｆｌ＝０．１２３となり、（７）の条件式を満足するものであった。
【００８７】
この第１実施例の撮像レンズ１における非点収差およびディストーションを図３に示す。
【００８８】
この結果によれば、非点収差およびディストーション差のいずれも満足できる結果となり、十分に優れた光学特性を得ることができることが分かる。
【００８９】
＜第２実施例＞
図４は、本発明の第２実施例を示したものであり、この第２実施例の撮像レンズ１は、以下の条件に設定されている。
【００９０】
（レンズデータ）
Ｆｎｏ＝３．２５、ω＝３４．３５°、Ｌ＝３．６１ｍｍ、ｆｌ＝３．２５ｍｍ、ｆ１＝２．６８６ｍｍ、ｆ２＝７．５３５ｍｍ、ｆ３＝−４．４５９ｍｍ
面番号                           ｒ         ｄ       ｎd        νｄ
（物点）
１（第１レンズ第１面）         1.00        0.42     1.5310       56.0
２（第１レンズ第２面）         0.35        0.05
３（絞り）                     0.00        0.55
４（第２レンズ第１面）        -1.15        0.40     1.5310       56.0
５（第２レンズ第２面）        -1.20        0.37
６（第３レンズ第１面）        -0.09        0.55     1.5310       56.0
７（第３レンズ第２面）         0.31        0.50
８（カバーガラス第１面）       0.00        0.30     1.5168       64.2
９（カバーガラス第２面）       0.00
（像面）
面番号    ｋ          Ａ        Ｂ        Ｃ        Ｄ
１     -6.9E-1      9.1E-2    4.3E-1   -1.0       1.8
２      0           1.0E-1   -1.5E-2    6.2E-1    0
４      6.9E-1      1.6E-1    4.3E-1    1.6       0
５     -3.8E-1      3.0E-1   -3.4E-1    2.0      -1.4
６      0          -1.0E-1    4.0E-2    1.0E-2   -4.8E-3
７     -5.5E+1     -1.0E-1    2.2E-2   -7.5E-3    6.9E-4
【００９１】
このような条件の下で、ｄ４／ｆｌ＝０．１１４となり、（１）の条件式を満足するものであった。また、Ｌ／ｆｌ＝１．１１となり、（２）の条件式を満足するものであった。さらに、ｆ１／ｆｌ＝０．８２６となり、（３）の条件式を満足するものであった。さらにまた、ｆ１／ｆ２＝０．３５６５となり、（４）の条件式を満足するものであった。また、ｆ１／ｆ３＝−０．６０２４となり、（５）の条件式を満足するものであった。さらに、ｄ２／ｆｌ＝０．１８６となり、（６）の条件式を満足するものであった。さらにまた、ｄ３／ｆｌ＝０．１２３となり、（７）の条件式を満足するものであった。
【００９２】
この第２実施例の撮像レンズ１における非点収差およびディストーションを図５に示す。
【００９３】
この結果によれば、非点収差およびディストーション差のいずれも満足できる結果となり、十分に優れた光学特性を得ることができることが分かる。
【００９４】
＜第３実施例＞
図６は、本発明の第３実施例を示したものであり、この第３実施例の撮像レンズ１は、以下の条件に設定されている。
【００９５】
（レンズデータ）
Ｆｎｏ＝３．２５、ω＝３４．２１°、Ｌ＝３．５５ｍｍ、ｆｌ＝３．２５１ｍｍ、ｆ１＝２．５３７ｍｍ、ｆ２＝１４．４３８ｍｍ、ｆ３＝−７．１１３ｍｍ
面番号                           ｒ         ｄ       ｎd        νｄ
（物点）
１（第１レンズ第１面）         1.03        0.44     1.5310       56.0
２（第１レンズ第２面）         0.35        0.05
３（絞り）                     0.00        0.48
４（第２レンズ第１面）        -1.32        0.40     1.5850       30.0
５（第２レンズ第２面）        -1.20        0.49
６（第３レンズ第１面）        -0.12        0.43     1.5310       56.0
７（第３レンズ第２面）         0.13        0.50
８（カバーガラス第１面）       0.00        0.30     1.5168       64.2
９（カバーガラス第２面）       0.00
（像面）
面番号    ｋ          Ａ        Ｂ        Ｃ        Ｄ
１     -4.6E-1      7.5E-2    3.0E-1   -4.6E-1    8.5E-1
２      0           6.2E-2    6.7E-2   -1.5E-1    0
４      4.3E-1      2.3E-1    5.9E-1    1.8       0
５     -5.5E-1      2.6E-1   -1.3E-1    1.4      -1.0
６      0           7.8E-3   -3.8E-2    2.3E-2   -3.8E-3
７     -3.5E+2     -8.8E-2    1.3E-2   -7.8E-3    9.0E-4
【００９６】
このような条件の下で、ｄ４／ｆｌ＝０．１５１となり、（１）の条件式を満足するものであった。また、Ｌ／ｆｌ＝１．０９となり、（２）の条件式を満足するものであった。さらに、ｆ１／ｆｌ＝０．７８０となり、（３）の条件式を満足するものであった。さらにまた、ｆ１／ｆ２＝０．１７６となり、（４）の条件式を満足するものであった。また、ｆ１／ｆ３＝−０．３５７となり、（５）の条件式を満足するものであった。さらに、ｄ２／ｆｌ＝０．１６６となり、（６）の条件式を満足するものであった。さらにまた、ｄ３／ｆｌ＝０．１２４となり、（７）の条件式を満足するものであった。
【００９７】
この第３実施例の撮像レンズ１における非点収差およびディストーションを図７に示す。
【００９８】
この結果によれば、非点収差およびディストーション差のいずれも満足できる結果となり、十分に優れた光学特性を得ることができることが分かる。
【００９９】
＜第４実施例＞
図８は、本発明の第４実施例を示したものであり、この第４実施例の撮像レンズ１は、以下の条件に設定されている。
【０１００】
（レンズデータ）
Ｆｎｏ＝３．２５、ω＝３４．２５°、Ｌ＝３．６ｍｍ、ｆｌ＝３．２４ｍｍ、ｆ１＝２．４６５ｍｍ、ｆ２＝１８．８３１ｍｍ、ｆ３＝−７．１４９ｍｍ
面番号                           ｒ         ｄ       ｎd        νｄ
（物点）
１（第１レンズ第１面）         0.99        0.45     1.5310       56.0
２（第１レンズ第２面）         0.27        0.05
３（絞り）                     0.00        0.50
４（第２レンズ第１面）        -1.43        0.40     1.5850       30.0
５（第２レンズ第２面）        -1.25        0.50
６（第３レンズ第１面）        -0.10        0.55     1.5310       56.0
７（第３レンズ第２面）         0.15        0.50
８（カバーガラス第１面）       0.00        0.30     1.5168       64.2
９（カバーガラス第２面）       0.00
（像面）
面番号    ｋ          Ａ        Ｂ        Ｃ        Ｄ
１     -5.4E-1      7.0E-2    9.9E-2    1.1E-1   -5.9E-1
２      0           5.8E-3   -2.0E-1   -2.6E-1    0
４      2.6E-1      2.2E-1    8.8E-1    1.8       0
５     -4.7E-1      2.9E-1   -1.0E-1    1.6      -1.2
６      0           2.2E-2   -3.5E-2    1.8E-2   -2.8E-3
７     -2.1E+2     -7.6E-2    1.4E-2   -8.3E-3    1.2E-3
【０１０１】
このような条件の下で、ｄ４／ｆｌ＝０．１５４となり、（１）の条件式を満足するものであった。また、Ｌ／ｆｌ＝１．１１となり、（２）の条件式を満足するものであった。さらに、ｆ１／ｆｌ＝０．７６１となり、（３）の条件式を満足するものであった。さらにまた、ｆ１／ｆ２＝０．１３１となり、（４）の条件式を満足するものであった。また、ｆ１／ｆ３＝−０．３４５となり、（５）の条件式を満足するものであった。さらに、ｄ２／ｆｌ＝０．１７０となり、（６）の条件式を満足するものであった。さらにまた、ｄ３／ｆｌ＝０．１２３となり、（７）の条件式を満足するものであった。
【０１０２】
この第４実施例の撮像レンズ１における非点収差およびディストーションを図９に示す。
【０１０３】
この結果によれば、非点収差およびディストーション差のいずれも満足できる結果となり、十分に優れた光学特性を得ることができることが分かる。
【０１０４】
＜第５実施例＞
図１０は、本発明の第５実施例を示したものであり、この第５実施例の撮像レンズ１は、以下の条件に設定されている。
【０１０５】
（レンズデータ）
Ｆｎｏ＝３．２５、ω＝３４．５３°、Ｌ＝３．５６ｍｍ、ｆｌ＝３．２２ｍｍ、ｆ１＝２．４５７ｍｍ、ｆ２＝１５．４６９ｍｍ、ｆ３＝−６．１６２ｍｍ
面番号                           ｒ         ｄ       ｎd        νｄ
（物点）
１（第１レンズ第１面）         0.97        0.45     1.5310       56.0
２（第１レンズ第２面）         0.25        0.05
３（絞り）                     0.00        0.45
４（第２レンズ第１面）        -1.40        0.40     1.5850       30.0
５（第２レンズ第２面）        -1.25        0.60
６（第３レンズ第１面）        -0.15        0.55     1.5310       56.0
７（第３レンズ第２面）         0.15        0.50
８（カバーガラス第１面）       0.00        0.30     1.5168       64.2
９（カバーガラス第２面）       0.00
（像面）
面番号    ｋ          Ａ        Ｂ        Ｃ        Ｄ
１     -8.1E-1      1.1E-1   -1.0E-1    7.5E-1   -1.6
２     -2.6        -4.1E-2   -6.6E-2   -1.7       2.6
４      3.9E-1      2.0E-1   -4.6E-2    6.8      -6.8
５     -4.4E-1      2.7E-1   -5.2E-1    2.9      -2.2
６      6.1        -3.2E-2    6.5E-3    6.7E-3   -1.6E-3
７     -1.5E+2     -9.5E-2    2.1E-2   -9.0E-3    1.3E-3
【０１０６】
このような条件の下で、ｄ４／ｆｌ＝０．１８６となり、（１）の条件式を満足するものであった。また、Ｌ／ｆｌ＝１．１１となり、（２）の条件式を満足するものであった。さらに、ｆ１／ｆｌ＝０．７６３となり、（３）の条件式を満足するものであった。さらにまた、ｆ１／ｆ２＝０．１５９となり、（４）の条件式を満足するものであった。また、ｆ１／ｆ３＝−０．３９９となり、（５）の条件式を満足するものであった。さらに、ｄ２／ｆｌ＝０．１５５となり、（６）の条件式を満足するものであった。さらにまた、ｄ３／ｆｌ＝０．１２４となり、（７）の条件式を満足するものであった。
【０１０７】
この第５実施例の撮像レンズ１における非点収差およびディストーションを図１１に示す。
【０１０８】
この結果によれば、非点収差およびディストーション差のいずれも満足できる結果となり、十分に優れた光学特性を得ることができることが分かる。
【０１０９】
＜第６実施例＞
図１２は、本発明の第６実施例を示したものであり、この第６実施例の撮像レンズ１は、以下の条件に設定されている。
【０１１０】
（レンズデータ）
Ｆｎｏ＝２．８５、ω＝３３．３５°、Ｌ＝３．８ｍｍ、ｆｌ＝３．４ｍｍ、ｆ１＝２．５８６ｍｍ、ｆ２＝１２．１５３ｍｍ、ｆ３＝−６．１６３ｍｍ
面番号                           ｒ         ｄ       ｎd        νｄ
（物点）
１（第１レンズ第１面）         0.79        0.57     1.5310       56.0
２（第１レンズ第２面）         0.08        0.05
３（絞り）                     0.00        0.49
４（第２レンズ第１面）        -1.39        0.40     1.5850       30.0
５（第２レンズ第２面）        -1.27        0.39
６（第３レンズ第１面）        -0.09        0.47     1.5310       56.0
７（第３レンズ第２面）         0.20        0.50
８（カバーガラス第１面）       0.00        0.30     1.5168       64.2
９（カバーガラス第２面）       0.00
（像面）
面番号    ｋ          Ａ        Ｂ        Ｃ        Ｄ
１     -8.1E-1      2.5E-2   -6.4E-2    1.6E-1   -4.3E-1
２      0          -9.5E-2   -1.9E-1   -3.7E-2    0
４     -4.5E-2      2.2E-1    1.3      -1.3E-1    0
５     -8.0E-1      2.8E-1    7.8E-2    1.2      -1.0
６      0           3.4E-2   -6.6E-2    3.9E-2   -6.9E-3
７     -1.1E+2     -9.7E-2    2.8E-2   -1.5E-2    2.3E-3
【０１１１】
このような条件の下で、ｄ４／ｆｌ＝０．１１８となり、（１）の条件式を満足するものであった。また、Ｌ／ｆｌ＝１．１２となり、（２）の条件式を満足するものであった。さらに、ｆ１／ｆｌ＝０．７６１となり、（３）の条件式を満足するものであった。さらにまた、ｆ１／ｆ２＝０．２１３となり、（４）の条件式を満足するものであった。また、ｆ１／ｆ３＝−０．４２０となり、（５）の条件式を満足するものであった。さらに、ｄ２／ｆｌ＝０．１６０となり、（６）の条件式を満足するものであった。さらにまた、ｄ３／ｆｌ＝０．１１８となり、（７）の条件式を満足するものであった。
【０１１２】
この第６実施例の撮像レンズ１における非点収差およびディストーションを図１３に示す。
【０１１３】
この結果によれば、非点収差およびディストーション差のいずれも満足できる結果となり、十分に優れた光学特性を得ることができることが分かる。
【０１１４】
なお、本発明は、前述した実施の形態に限定されるものではなく、必要に応じて種々の変更が可能である。例えば、第１、第２および第３レンズの材料は、光透過性の材料を好適に用いてよい。
【図面の簡単な説明】
【０１１５】
【図１】本発明に係る撮像レンズの実施形態を示す概略構成図
【図２】本発明に係る撮像レンズの第１実施例を示す概略構成図
【図３】図２の撮像レンズの非点収差およびディストーションを示す説明図
【図４】本発明に係る撮像レンズの第２実施例を示す概略構成図
【図５】図４の撮像レンズの非点収差およびディストーションを示す説明図
【図６】本発明に係る撮像レンズの第３実施例を示す概略構成図
【図７】図６の撮像レンズの非点収差およびディストーションを示す説明図
【図８】本発明に係る撮像レンズの第４実施例を示す概略構成図
【図９】図８の撮像レンズの非点収差およびディストーションを示す説明図
【図１０】本発明に係る撮像レンズの第５実施例を示す概略構成図
【図１１】図１０の撮像レンズの非点収差およびディストーションを示す説明図
【図１２】本発明に係る撮像レンズの第６実施例を示す概略構成図
【図１３】図１２の撮像レンズの非点収差およびディストーションを示す説明図
【符号の説明】
【０１１６】
１  撮像レンズ
２  第１レンズ
２ａ  第１レンズの第１面
２ｂ  第１レンズの第２面
３  絞り
４  第２レンズ
４ａ  第２レンズの第１面
４ｂ  第２レンズの第２面
５  第３レンズ
５ａ  第３レンズの第１面
５ｂ  第３レンズの第２面
【図１】
2008102237.tif 000003
【図２】
2008102237.tif 000004
【図３】
2008102237.tif 000005
【図４】
2008102237.tif 000006
【図５】
2008102237.tif 000007
【図６】
2008102237.tif 000008
【図７】
2008102237.tif 000009
【図８】
2008102237.tif 000010
【図９】
2008102237.tif 000011
【図１０】
2008102237.tif 000012
【図１１】
2008102237.tif 000013
【図１２】
2008102237.tif 000014
【図１３】
2008102237.tif 000015